(57)【要約】      （修正有）【課題】計時器のための自律制御機構を提供する。【解決手段】時打ち時計器のための聴覚表示機構１００を含む時計器又は時計或いはオルゴールであって、聴覚表示機構１００は、同じ時間測定パラメータのための、平行な面で段状に配置した複数の制御部品１を含み、ユーザが操作するか又は時計器のムーブメントによって動作させるように構成したメロディ選択手段３を更に含む。メロディ選択手段３は、所与の瞬間で、制御部品１が前記時間測定パラメータに対応する共通スネイル２に近づくのを制御するか又は妨げ、制御部品１のうちただ１つが、ハンマの運動を制御する少なくとも１つのレバー４を動作できるようにして、制御部品１に特定であるメロディを演奏するか又は制御部品１に特定である少なくとも１つのゴングを起動する。【選択図】図１
2015222255.tif 000002
【特許請求の範囲】
【請求項１】
時打ち計時器（１０００）のための聴覚表示機構（１００）において、前記機構は、同じ第１の時間測定パラメータのための、互いに平行な面で段状に配置した複数の第１の制御部品（１）を含むこと、所与の瞬間で、前記複数の第１の制御部品（１）のうちただ１つが、前記第１の時間測定パラメータに対応する第１の共通スネイル（２）と協働すること、前記聴覚表示機構（１００）は、ユーザが操作するか又は前記計時器（１０００）のムーブメントによって動作させるように構成した第１のメロディ選択手段（３）を含むこと、及び各前記第１の制御部品（１）は、前記第１のメロディ選択手段（３）内に含まれる第１の専用選択器機構（３０）によって前記第１の制御部品（１）に特定である面で制御され、少なくとも１つの制御レバー（４）を介して、少なくとも１つのハンマの運動を制御して前記第１の制御部品（１）に特定であるメロディを演奏するか又は前記第１の制御部品（１）に特定である少なくとも１つのゴングを作動させることを特徴とする、聴覚表示機構（１００）。
【請求項２】
前記機構は、それぞれを前記１つのハンマの枢動を制御するように構成したいくつかの前記制御レバー（４）を含むこと、及び各前記制御レバー（４）は、１回につき、異なる面に位置する前記いくつかの第１の制御部品（１）のうちただ１つの衝撃を受けて枢動するように構成することを特徴とする、請求項１に記載の聴覚表示機構（１００）。
【請求項３】
各前記選択器機構（３０）は、各前記第１の制御部品の段（１）上に少なくとも１つの第１の分離手段（５）を含み、所与の瞬間で、前記第１の共通スネイル（２）上で現在時刻に関する情報を収集するただ１つの前記第１の制御部品（１）が結合位置に接近でき、前記同じ所与の瞬間で、他の前記第１の制御部品（１）の全てを分離できるように構成し、それにより、前記他の第１の制御部品（１）の全てが前記第１の共通スネイル（２）の漸進する枢動フィールド（Ｚ）の外側に留まり、前記他の第１の制御部品（１）の全てが前記第１の共通スネイル（２）に近づくのを阻止することを特徴とする、請求項２に記載の聴覚表示機構（１００）。
【請求項４】
前記第１の分離手段（５）は、各前記段上に少なくとも１つの分離レバー（５０）を含み、前記分離レバー（５０）は、前記分離レバー（５０）の角度位置に従って、前記段の前記第１の制御部品（１）が前記第１の共通スネイル（２）に近づくのを可能にするか又は阻止するように構成することを特徴とする、請求項３に記載の聴覚表示機構（１００）。
【請求項５】
前記第１の制御部品（１）はそれぞれ、特定のメロディの実行を起動するための特定の歯部外形（６）を有することを特徴とする、請求項１に記載の聴覚表示機構（１００）。
【請求項６】
前記第１の制御部品（１）のうち少なくとも２つは、異なる歯部外形を有することを特徴とする、請求項５に記載の聴覚表示機構（１００）。
【請求項７】
前記第１のメロディ選択手段（３）内に含まれる前記第１の選択器機構（３０）の全ては同軸であることを特徴とする、請求項１に記載の聴覚表示機構（１００）。
【請求項８】
前記第１の制御部品（１）は第１のクォーター用部品であること、及び前記第１のスネイル（２）は第１のクォーター用スネイルであることを特徴とする、請求項１に記載の聴覚表示機構（１００）。
【請求項９】
前記第１の制御部品（１）は第１のアワー用部品であること、及び前記第１のスネイル（２）は第１のアワー用スネイルであることを特徴とする、請求項１に記載の聴覚表示機構（１００）。
【請求項１０】
前記第１の制御部品（１）は第１のミニッツ用部品であること、及び前記第１のスネイル（２）は第１のミニッツ用スネイルであることを特徴とする、請求項１に記載の聴覚表示機構（１００）。
【請求項１１】
前記第１のメロディ選択手段（３）は、第２の時間測定パラメータに対応する第２の共通スネイル（２２）への接近も制御し、前記第２の共通スネイル（２２）は、所与の瞬間で、互いに平行な面で段状に配置した複数の第２の制御部品（１２）のうちのただ１つと協働すること、前記聴覚表示機構（１００）は、第２のメロディ選択手段（３２）を含むこと、及び前記各第２の制御部品（１２）は、前記第２のメロディ選択手段（３２）内に含まれる第２の専用選択器機構によって前記第２の制御部品（１２）に特定である面で制御され、少なくとも１つのレバー（４）を介して、少なくとも１つのハンマの運動を制御して前記第２の制御部品（１２）に特定であるメロディを演奏するか又は前記第２の制御部品（１２）に特定である少なくとも１つのハンマを起動することを特徴とする、請求項１に記載の聴覚表示機構（１００）。
【請求項１２】
各前記第２の専用選択器機構は、各前記第２の制御部品の段（１２）上に少なくとも１つの第２の分離手段（５２）を含み、所与の瞬間で、前記第２の共通スネイル（２２）上で現在時刻に関する情報を収集するただ１つの前記第２の制御部品（１２）が結合位置に接近でき、前記同じ所与の瞬間で、前記他の第２の制御部品（１２）の全てを分離できるように構成し、それにより、前記他の第２の制御部品（１２）の全てが前記第２の共通スネイル（２２）の漸進する枢動フィールド（Ｚ２）の外側に留まり、前記他の第２の制御部品（１２）の全てが前記第２の共通スネイル（２２）に近づくのを阻止することを特徴とする、請求項１１に記載の聴覚表示機構（１００）。
【請求項１３】
前記第１の共通スネイル（２）及び前記第２の共通スネイル（２２）は同軸であることを特徴とする、請求項１１に記載の聴覚表示機構（１００）。
【請求項１４】
前記第２のメロディ選択手段（３２）内に含まれる前記第２の選択器機構（３０２）の全ては同軸であることを特徴とする、請求項１１に記載の聴覚表示機構（１００）。
【請求項１５】
前記聴覚表示機構（１００）は、前記第１の共通スネイル（２）に同軸且つ前記第１の共通スネイル（２）の延在部に、少なくとも１つの第３の共通スネイル（２３）も含み、前記第３の共通スネイル（２３）は、第３の時間測定パラメータに対応し、３つの段のうちの３番目の段を含む第３の領域に対応し、前記第３の領域全てが、前記第３のパラメータに関連すること、前記第３の領域には、同じ前記第３の時間測定パラメータのための複数の段状の第３の制御部品（１３）があること、前記第３の制御部品（１３）は、前記第３の共通スネイル（２３）と協働するように構成すること、前記聴覚表示機構（１００）は、第３のメロディ選択手段を含むこと、各前記第３の制御部品（１３）は、前記第３のメロディ選択手段内に含まれる第３の専用選択器機構によって前記第３の制御部品（１３）に特定である面で制御され、少なくとも１つのレバー（４）を介して、少なくとも１つのハンマの運動を制御して前記第３の制御部品（１３）に特定であるメロディを演奏するか又は前記第３の制御部品（１３）に特定である少なくとも１つのゴングを起動することを特徴とする、請求項１に記載の聴覚表示機構（１００）。
【請求項１６】
各前記第３の専用選択器機構は、各前記第３の制御部品の段（１３）上に少なくとも１つの第３の分離手段を含み、所与の瞬間で、前記第３の共通スネイル（２３）上で現在時刻に関する情報を収集するただ１つの前記第３の制御部品（１３）が結合位置に接近でき、前記同じ所与の瞬間で、前記他の第３の制御部品（１３）の全てを分離できるように構成し、それにより、前記他の第３の制御部品（１３）の全てが前記第３の共通スネイル（２３）の漸進する枢動フィールド（Ｚ３）の外側に留まり、前記他の第３の制御部品（１３）の全てが前記第３の共通スネイル（２３）に近づくのを阻止することを特徴とする、請求項１５に記載の聴覚表示機構（１００）。
【請求項１７】
前記第３のメロディ選択手段内に含まれる前記第３の選択器機構の全ては同軸であることを特徴とする、請求項１５に記載の聴覚表示機構（１００）。
【請求項１８】
単一制御手段（６００）は、一方で前記第１のメロディ選択手段（３）の枢動を制御し、もう一方で前記第２のメロディ選択手段（３２）の枢動を制御し、及び／又は前記聴覚表示機構（１００）が前記第３のメロディ選択手段を含む場合は前記第３のメロディ選択手段の枢動を制御することを特徴とする、請求項１１及び１５に記載の聴覚表示機構（１００）。
【請求項１９】
前記単一制御手段（６００）は段状カムであることを特徴とする、請求項１８に記載の聴覚表示機構（１００）。
【請求項２０】
前記単一制御手段（６００）はコラム・ホイールであることを特徴とする、請求項１８に記載の聴覚表示機構（１００）。
【請求項２１】
前記機構は、異なる種類のいくつかの制御部品を同時に制御するメロディ選択手段を含み、前記制御部品は、異なる時間測定パラメータに対応するスネイル上での読出しに対応することを特徴とする、請求項１に記載の聴覚表示機構（１００）。
【請求項２２】
請求項１に記載の少なくとも１つの聴覚表示機構（１００）を含む計時器又は時計（１０００）。
【請求項２３】
前記時計器は、前記第１のメロディ選択手段（３）を動作させるムーブメントを含むことを特徴とする、請求項２２に記載の計時器（１０００）。
【請求項２４】
前記ムーブメントは、複数のメロディ選択手段を動作させるように構成することを特徴とする、請求項２３に記載の計時器（１０００）。
【請求項２５】
前記時計器（１０００）は、一方で少なくとも１つのメロディ選択手段を動作させるように構成したムーブメント、及びもう一方で少なくとも１つのメロディ選択手段を動作させる、ユーザが利用可能な制御手段の両方を含むことを特徴とする、請求項２３に記載の計時器（１０００）。
【請求項２６】
請求項１に記載の少なくとも１つの聴覚表示機構（１００）を含むオルゴール。
【発明の詳細な説明】
【技術分野】
【０００１】
本発明は、時打ち計時器のための聴覚表示機構に関する。
【０００２】
本発明は、少なくとも１つのそのような聴覚表示機構を含む計時器又は時計にも関する。
【０００３】
本発明は、少なくとも１つのそのような聴覚表示機構を含むオルゴールにも関する。
【０００４】
本発明は、聴覚表示器を含む計時器の分野、及びオルゴール若しくは同様のものの関連分野に関する。
【背景技術】
【０００５】
従来、時打ち時計は、夜間に照明がなくてもいつでも時刻がわかるように発明された。
【０００６】
改良により、例えば、オルゴールで使用するもの等の、穴又はピンを有するディスク又はシリンダにより調整した複数の配列を所定の順序で並置することによってメロディの演奏が可能になった。
【０００７】
しかし、時打ち時計は、視覚表示器を有する時計が提供する全ての可能性、具体的には、昼／夜、午前又は午後（ＡＭ／ＰＭ）の間の識別、いくつかの時間帯（ＧＭＴ）の間での識別、或いは更にはユーザが所望する特定の時間スケールに分割した帯域の間での識別を依然として提供していない。
【０００８】
ＭＯＮＴＲＥＳ  ＢＲＥＧＵＥＴ  ＳＡの名義の欧州特許出願第２４９８１４５Ａ１号は、異なるチャイムを有する時打ち機構を開示しており、この時打ち機構は、枢動筒を有し爪の付いたクリックを支える駆動プレートを含むリピータ・ユニットのための段を有し、このクリックは、ばねによって戻され、時打ち動作制御機構と協働する移動止めラチェット・ピンの作用下で移動可能であり、この段はラチェットを含み、ラチェットは、筒を有し、筒内に含まれる歯部上でクリックの爪と協働するように筒上で枢動する。このことにより、第１のハンマ・レバーと協働する第１のアワー・ラックと一体であるラチェットの回転を可能にするか又は回転を妨げる。この段は、同じ軸周りに枢動し前記時打ち機構のハンマ・レバーと協働する第２のアワー・ラックを含む。
【０００９】
ＣＨＲＩＳＴＯＰＨＥ  ＣＬＡＲＥＴ  ＳＡの名義の欧州特許出願第１７７０４５３Ａ１号は、機械式計時器を開示しており、この機械式計時器は、第１の時間帯及び第２の時間帯の時刻を示す機構を含み、機構は、必要に応じてチャイムを鳴らす時打ちデバイスを備え、このチャイムは、第１の時間帯又は第２の時間帯の時刻に対応する。この時打ちデバイスは、制御部材によって制御される単一時打ち香箱により動力供給され、制御部材は、第１の時間帯及び第２の時間帯の時刻に対応する時打ちを解放することを意図する。
【先行技術文献】
【特許文献】
【００１０】
【特許文献１】欧州特許出願第２４９８１４５Ａ１号
【特許文献２】欧州特許出願第１７７０４５３Ａ１号
【発明の概要】
【発明が解決しようとする課題】
【００１１】
本発明は、聴覚表示器を有する計時器、特に、より汎用性のある時計の製造を提案するものであり、メロディの演奏及び／又はゴングの使用に従って特定の使用状況を区別可能にする形態をユーザに提供する。これらの改良形態は、オルゴールにも関する。
【課題を解決するための手段】
【００１２】
この目的で、本発明は、時打ち計時器のための聴覚表示機構に関し、機構は、同じ第１の時間測定パラメータのための、互いに平行な面で段状に配置した複数の第１の制御部品を含むこと、所与の瞬間で、前記複数の第１の制御部品のうちただ１つが、前記第１の時間測定パラメータに対応する第１の共通スネイルと協働すること、前記聴覚表示機構は、ユーザが操作するか又は前記計時器のムーブメントによって動作するように構成した第１のメロディ選択手段を含むこと、及び各前記第１の制御部品は、前記第１のメロディ選択手段内に含まれる第１の専用選択器機構によって第１の制御部品に特定である面で制御され、少なくとも１つの引上げ部品を介して、少なくとも１つのハンマの運動を制御して第１の制御部品に特定であるメロディを演奏するか又は第１の制御部品に特定である少なくとも１つのゴングを作動させることを特徴とする。
【００１３】
本発明は、少なくとも１つのそのような聴覚表示機構を含む計時器又は時計にも関する。
【００１４】
本発明は、少なくとも１つのそのような聴覚表示機構を含むオルゴールにも関する。
【００１５】
本発明の他の特徴及び利点は、添付の図面を参照しながら以下の詳細な説明を読めば明らかになるであろう。
【図面の簡単な説明】
【００１６】
【図１】時打ち機構の一部の概略平面図である。この時打ち機構では、時計ムーブメントの１つのホイールは選択手段を制御し、この選択手段は、同軸スターホイールを含み、クォーター用部品に作用するレバーの枢動を順次に制御して、所与の瞬間で、これらのクォーター用部品のうちただ１つが、クォーター用スネイルに接近でき、時打ちを実施するための情報を収集するようにする。この機構は、それぞれがこれらクォーター用部品のうち１つ又は複数と協働できるいくつかのハンマ制御レバー（図示せず）を含む。
【図１Ａ】ユーザが操作可能な制御手段がプッシュピースを作動させて前記スターホイールを含む同じ選択手段を制御する、一変形形態の詳細図である。
【図２】図１と同様の、それぞれが特定の時間測定パラメータに対応するいくつかのスネイルを含む機構を示す図であり、これらスネイルのそれぞれは、特定の組のハンマ・レバー制御部品と協働する。
【図３】異なる時間測定パラメータに対応し、本明細書では同軸として示す２つのスネイルの概略部分側面図である。上側スネイルは、それぞれが２つ又は３つの制御レバーと協働するように構成した４つの制御部品と協働し、下側スネイルは、それぞれが上述の制御レバーとは異なる２つの他のレバーと協働するように構成した２つの制御部品と協働する。
【図４】４つの重ね置いたカムの形態であって、それぞれが係止レバーの突起と協働する切欠きを含む４つの制御部品係止部品を制御する選択手段の例の概略平面図である。
【図５】図５Ａ、図５Ｂは、図１の図に対応する制御部品の図である。図５Ｃは、異なる周期性に対応する制御部品の図である。
【図６】メロディ選択手段を作動させる制御手段を含む時打ち時計の図であり、開口は、選択したメロディを特定するマークを見せる。
【発明を実施するための形態】
【００１７】
本発明は、グランド・ストライク型、スモール・ストライク型又はミニッツ・リピータ型又はアラーム型の時打ち計時器１０００、或いはオルゴール型又は同様のもののための聴覚表示機構１００に関する。本発明は、本明細書では計時器向けに説明するが、当業者はオルゴール又はあらゆる他の同様の機構に本教示をどのように適用するかわかるであろう。
【００１８】
本発明は、特定のチャイムを鳴らすメロディ又はゴングをユーザが選択可能にすること、及び計時器１０００のムーブメントによって直接行われる同様の選択も可能にすることを提案する。例えば、本発明の本実施形態では、ムーブメントは、正午前の時刻（ＡＭ）のための第１のチャイム・メロディ及び正午過ぎの時刻（ＰＭ）のための別のチャイム・メロディを動作できるか、又は連続する二日間に対してチャイムを差異化できるか、或いは第２の時間帯のための別のチャイムを開始する前に第１の時間帯のための第１のチャイムの演奏を開始できる。適用例は無限であり、チャイム及び／又はゴングの特定の組合せを有するそのような聴覚表示器は、天体時計又は時間帯時計或いは同様の時計上で読取りが困難であることがある視覚表示器よりも、ユーザにとって有意義なものとすることができる。
【００１９】
本発明によれば、本機構１００は、同じ第１の時間測定パラメータのための複数の第１の制御部品１を含む。
【００２０】
好ましくは、こうした第１の制御部品１は、互いに平行な面で段状に配置する。
【００２１】
これらの第１の制御部品１は、共通の基準スネイル、とりわけ、この第１の時間測定パラメータに対応する第１の共通スネイル２と協働するようにも構成する。所与の瞬間で、これら第１の制御部品１のうちただ１つが第１の共通スネイル２と協働して、適切な時打ちを実施するのに情報を収集する。
【００２２】
この聴覚表示機構１００は、ユーザが操作するか又は計時器１０００のムーブメントによって動作させるように構成した第１のメロディ選択手段３も含む。聴覚表示機構１００内に含まれる各第１の制御部品１は、第１の制御部品１に特定である面で、前記第１のメロディ選択手段３内に含まれる専用の第１の選択器機構３０によって制御する。
【００２３】
各第１の制御部品１は、少なくとも１つの制御レバー４を介して、少なくとも１つのハンマの運動を制御して第１の制御部品１に特定であるメロディを演奏するか、第１の制御部品１に特定である少なくとも１つのゴングを作動させる。
【００２４】
図１は、午前（ＡＭ）のチャイムと午後（ＰＭ）のチャイムとを差異化する聴覚表示機構１００を有する例示的実施形態を示し、この差異化は、ケースに応じて、時計器ムーブメントによってメロディ選択手段３に送信される時刻を基準として、午前のチャイムのための第１のメロディを演奏する第１のクォーター用部品１０１の作動を制御するか、又は午後のチャイムのための第２のメロディを演奏する第２のクォーター用部品１０２の作動を制御することによって行われる。図５Ａ及び図５Ｂに示すこれらクォーター用部品１０１及び１０２は、機構１００の制御部品１を形成する。
【００２５】
好ましくは、聴覚表示機構１００は、いくつかの制御レバー４を含み、各制御レバー４は、そのようなハンマの枢動を制御するように構成し、それぞれのそのような制御レバー４は、１回につき、異なる面に位置するいくつかのそのような第１の制御部品１のうちただ１つの衝撃を受けて枢動するように構成する。したがって、図１は、４つの周辺レバー４と協働するクォーター用部品１０１を示し、ハンマ及びゴングは、図面を繁雑にしないため図示しない。
【００２６】
それぞれのそのような第１の選択器機構３０は、各第１の制御部品１の各段上に第１の分離手段５を含み、所与の瞬間で、
−軸Ａの第１の共通スネイル２上で現在時刻に関する情報を収集し、包絡線体積部Ｚの境界を画定するただ１つの第１の制御部品１が、結合位置に接近できるように構成し、
−同じ所与の瞬間で、他の全ての第１の制御部品１を分離できるように構成し、それにより、他の全ての第１の制御部品１は、第１の共通スネイル２の漸進する枢動フィールドＺの外側に留まり、他の全ての第１の制御部品１が第１の共通スネイル２に近づくのを阻止する。
【００２７】
有利で単純な実施形態では、この第１の分離手段５は、それぞれのそのような段で少なくとも１つの分離レバー５０を含み、この分離レバー５０は、その角度位置に従って、関連する段に特定である第１の制御部品１が第１の共通スネイル２に近づくのを可能にするか又は阻止するように構成する。
【００２８】
したがって、図１の例によれば、第１のレバー５０１は、下側の高さで、その位置に従って第１のクォーター用部品１０１がスネイル２に近づくのを可能にするか又は阻止するように構成する。平行及びより高い面では、第２のレバー５０２は、より高い高さで、その位置に従って第２のクォーター用部品１０２がスネイル２に近づくのを可能にするか又は阻止するように構成する。この図では、星形又は同様の形態で作製した第２の選択器機構３０２は、第２のレバー５０２の突起５０４を押し戻し、このようにして、第２のレバー５０２の端部５０６が第２のクォーター用部品１０２のフィーラ・スピンドル１１を阻止するように向けられ、第２のクォーター用部品１０２のあらゆる運動を阻止し、結果として共通スネイル２に近づくのを阻止する。反対に、第１の星形選択器機構３０１は、第１のレバー５０１の突起５０３が軸Ｂに向かって下がることを可能にし、後退させるので、第１のレバー５０１の端部５０５は、この場合第１のクォーター用部品１０１のフィーラ・スピンドル１１が通過するのを妨害しない。このことは、第１のクォーター用部品１０１のフィーラ・スピンドル１１がスネイル２上に情報収集位置で支持された状態を示し、したがって第１のメロディの演奏を可能にする。
【００２９】
第１の制御部品１はそれぞれ、図１及び図５Ａ、図５Ｂ、図５Ｃに示すように、特定のメロディの実行を起動するための特定の歯部外形６を有し、歯６１及び６３、歯の間の空間６２及び距離は、周期的な配列を画定する。
【００３０】
これらの第１の制御部品１のうち少なくとも２つは、チャイムを差異化するために異なる歯部外形を有する。
【００３１】
一変形形態では、第１の制御部品のうち一部のみが所与の制御レバー４と協働する。図３の例では、制御レバー４０は、３つの第１の上側制御部品１にのみ接近できる。
【００３２】
非限定的な様式で、図面が示す特定の実施形態では、第１のメロディ選択手段３内に含まれる第１の選択器機構３０の全ては、同軸である。この場合、図１の第１の選択器機構３０１及び第２の選択器機構３０２は、それらの共通軸Ｂを中心として同軸である。この実施形態では星形であるこれらの選択器は、ジャンパ３１０の端部３１１によって保持する。本例では、選択器の回転は、ホイール６３０を含む制御手段のフィンガ６１０によって引き起こされる。このホイール６３０は、ケースに応じて、計時器ムーブメントによって制御するか、又は（ミニッツ・リピータの制御によりアナログ式に）ユーザの動作によって制御するか、又は計時器の環境における物理的パラメータの変化に反応するセンサの作用によって制御できる。図１Ａは、ユーザが操作可能な、本明細書では非限定的に制御プル部品６２０によって形成した制御手段が、フィンガ６１０でプッシュボタンを起動しこれらの星形選択器機構を含む同じ選択手段を制御する、一変形形態である。
【００３３】
図１に示す非限定的な適用例では、第１の制御部品１は、第１のクォーター用部品であり、第１のスネイル２は、第１のクォーター用スネイルである。
【００３４】
図示しない変形形態では、第１の制御部品１は、第１のアワー用部品であり、第１のスネイル２は、第１のアワー用スネイルである。
【００３５】
図示しない変形形態では、第１の制御部品１は、第１のミニッツ用部品であり、第１のスネイル２は、この場合第１のミニッツ用スネイルである。
【００３６】
図２に示す特定の一実施形態では、メロディ選択手段は、第２の共通スネイル２２への接近も制御する。この第２の共通スネイル２２は、第２の時間測定パラメータに対応し、同じ第２の時間測定パラメータのための複数の第２の制御部品１２と協働する。所与の瞬間で、これら第２の制御部品１２のうちただ１つが第２の共通スネイル２２と協働して、適切な時打ちを実施するための情報を収集する。
【００３７】
こうした第２の制御部品１２も、好ましくは互いに平行な面で段状に配置する。
【００３８】
したがって、聴覚表示機構１００は、図２に示すのと同じ第１の専用メロディ選択手段３であっても、第２の専用メロディ選択手段３２であってもよいメロディ選択手段を含む。第２の専用メロディ選択手段３２である特定のケースでは、各第２の制御部品１２は、第２のメロディ選択手段３２内に含まれる専用選択器機構によって第２の制御部品１２に特定である面で制御され、少なくとも１つの制御レバー４を介して、少なくとも１つのハンマの運動を制御して第２の制御部品１２に特定であるメロディを演奏するか、又は第２の制御部品１２に特定である少なくとも１つのゴングを作動させる。上記したものと同様に、機構１００は、第２の制御部品１２の各段上に少なくとも１つの第２の分離手段５２を含み、所与の瞬間で、第２の共通スネイル２２上で現在時刻に関する情報を収集する１つの第２の制御部品１２が結合位置に接近でき、同じ所与の瞬間で、他の第２の制御部品１２の全てを分離できるように構成し、それにより、他の全ての第２の制御部品１２が第２の共通スネイル２２の漸進する枢動フィールドＺ２の外側に留まり、他の全ての第２の制御部品１２が第２の共通スネイル２２に近づくのを阻止する。
【００３９】
特定の実施形態では、第１の共通スネイル２及び第２の共通スネイル２２は、同軸である。
【００４０】
特定の実施形態では、第１のメロディ選択手段３及び第２のメロディ選択手段３２は、同軸である。
【００４１】
特定の実施形態では、第２のメロディ選択手段３２内に含まれる第２の専用選択器機構の全ては、同軸である。
【００４２】
図３に示す特定の実施形態では、聴覚表示機構１００は、第１の共通スネイル２に同軸且つその延在部に、少なくとも１つの第３の共通スネイル２３も含む。
【００４３】
この第３の共通スネイルは、第３の時間測定パラメータに対応し、３つの段のうちの３番目の段を含む第３の領域にも対応し、この第３の領域全てが、この第３のパラメータに関連する。
【００４４】
したがって、図３は、異なる時間測定パラメータに対応する、本明細書では同軸に組み付けた２つのスネイル２及び２３を示し、上側スネイル２は、それぞれを２つ又は３つの制御レバー４又は４０と協働するように構成した４つの制御部品１と協働し、下側スネイル２３は、それぞれを上述の制御レバーとは異なる２つの他のレバー４３と協働するように構成した２つの制御部品１３と協働する。
【００４５】
図３の上側部分は、４つの重ね合わせた第１の制御部品１の積重ねを断面で示すものであり、全ての第１の制御部品１は、１回につきただ１つの第１の制御部品１が同じスネイル２と協働するように構成し、全ての第１の制御部品１は、同様に１回につきただ１つの第１の制御部品１がレバー４と協働するように構成する。
【００４６】
この第３の領域において、同じ第３の時間測定パラメータのための複数の段状の第３の制御部品１３がある。これら第３の制御部品１３は、第３の共通スネイル２３と協働するように構成する。聴覚表示機構１００は、第３のメロディ選択手段を含む。それぞれのそのような第３の制御部品１３は、第３のメロディ選択手段３２内に含まれる第３の専用選択器機構によって第３の制御部品１３に特定である面で制御され、少なくとも１つのレバー４を介して、少なくとも１つのハンマの運動を制御して第３の制御部品１３に特定であるメロディを演奏するか、又は第３の制御部品１３に特定である少なくとも１つのゴングを作動させる。
【００４７】
図３は、２つの第３の下側制御部品１３が下側レバー４３と協働する、一変形形態を示し、これら下側レバー４３は、４つの上側第１の制御部品１と協働する上側レバー４とは異なる。
【００４８】
上記の機構と同様に、それぞれのそのような第３の選択器機構は、好ましくは第３の制御部品１３の各段上に少なくとも１つの第３の分離手段を含み、所与の瞬間で、第３の共通スネイル２３上で現在時刻の情報を収集するただ１つの第３の制御部品１３が結合位置に接近でき、同じ所与の瞬間で、他の全ての第３の制御部品１３を分離できるように構成し、それにより、他の全ての第３の制御部品１３が第３の共通スネイル２３の漸進する枢動フィールドの外側に留まり、他の全ての第３の制御部品１３が第３の共通スネイル２３に近づくのを阻止する。
【００４９】
特定の実施形態では、第３のメロディ選択手段内に含まれる第３の選択器機構の全ては、同軸である。
【００５０】
特定の実施形態では、単一制御手段６００は、一方で第１のメロディ選択手段３の枢動を制御し、もう一方では第２のメロディ選択手段３２の枢動を制御し、及び／又は聴覚表示機構１００が第３のメロディ選択手段を含む場合は第３のメロディ選択手段の枢動を制御する。
【００５１】
図４は、４つの制御部品係止レバーを制御するための選択手段３を含む単一制御手段６００に関する例を示し、選択器機構３０は、それぞれが係止レバーの突起と協働する切欠き３０１Ａ、３０２Ａ、３０３Ａ、３０４Ａを含む４つの重ね合わせたカム３０１、３０２、３０３、３０４を含む。
【００５２】
特定の実施形態では、この単一制御手段６００は、段状カムである。
【００５３】
また、特定の実施形態では、この単一制御手段６００は、コラム・ホイールである。
【００５４】
特定の実施形態では、聴覚表示機構１００は、異なる種類のいくつかの制御部品を同時に制御するメロディ選択手段を含み、これらの制御部品は、様々である時間測定パラメータに対応するスネイル上での読出しに対応する。
【００５５】
本発明は、少なくとも１つのそのような聴覚表示機構１００を含む計時器１０００、特に時計にも関する。この計時器１０００は、従来の様式で計時器ムーブメントを含む。
【００５６】
特定の変形形態では、このムーブメントは、少なくとも第１のメロディ選択手段３を動作させるように構成する。
【００５７】
別の変形形態では、ムーブメントは、聴覚表示機構１００内に含まれる、本発明による複数のメロディ選択手段又は全てのメロディ選択手段を動作させるように構成する。
【００５８】
別の変形形態では、計時器１０００は、少なくとも第１のメロディ選択手段３を選択し、これを動作させるように構成した、ユーザが利用可能な制御手段を含む。
【００５９】
別の変形形態では、ユーザが利用可能な制御手段は、聴覚表示機構１００内に含まれる、本発明による複数のメロディ選択手段又はメロディ選択手段の全てを選択し、これらを動作させるように構成する。
【００６０】
別の変形形態では、時計器１０００は、一方で少なくとも１つのメロディ選択手段を動作させるように構成したムーブメント、及びもう一方で少なくとも１つのメロディ選択手段を動作させる、ユーザが利用可能な制御手段の両方を含む。
【００６１】
本発明は、少なくとも１つのそのような聴覚表示機構１００を含むオルゴールにも関する。
【００６２】
図６は、そのような時打ち時計１０００を示し、この時打ち時計１０００は、メロディ選択手段３を作動させる制御手段６００を含み、開口３０６は、選択したメロディを特定するマーク３０５Ａ、３０５Ｂ、３０５Ｃを見せる。このマークは、図４又は他に示した種類の選択器のカム区分上に見せることもできる。機構１００が特定の時打ちの選択以外の選択、例えばゴングの選択を実施する場合、同じ種類の表示器を使用できる。当然ながら、メロディ又はゴング又は時間測定パラメータの選択或いは他の選択を時計１０００のムーブメントからの命令によって実施する場合、同じ種類の表示器を使用できる。
【００６３】
手短に言えば、本発明の本質的な原理は、同一の性質をもついくつかの制御部品を平行に配置し、特定の表示音を生成するために１つの制御部品を選択することである。
【００６４】
上記の例で記載したように、本発明は、メロディの選択だけでなく単なるゴングの選択も可能にする。
【００６５】
段状レバーが制御部品を妨害することなく決められた段上に実装されると、聴覚表示に関する特定の変形形態が達成可能になる。
【００６６】
適切なスネイルの選択による時間パラメータの選択も革新的である。したがって、選択手段は、例えば従来の表示：アワー／クォーター／ミニッツと、例えばテン・ミニッツのスネイルに関する情報の収集による特定の表示：アワー／テン・ミニッツ／ミニッツとの間の選択を可能にする。
【００６７】
本発明の利点は、本発明が例えば図２の実施形態と図３の実施形態との組合せ、又は同様の実施形態の組合せによって、そのような変形形態の組合せを複雑な構成で容易に可能にすることである。
【００６８】
得られる機構は小型である。
【００６９】
本発明は、既存の聴覚表示機構の修正形態にも向いている。
【符号の説明】
【００７０】
１  制御部品
２  共通スネイル
３  メロディ選択手段
４  制御レバー
５  分離手段
６  歯部外形
１００  聴覚表示機構
１０００  時打ち計時器
【図１】
2015222255.tif 000003
【図１Ａ】
2015222255.tif 000004
【図２】
2015222255.tif 000005
【図３】
2015222255.tif 000006
【図４】
2015222255.tif 000007
【図５】
2015222255.tif 000008
【図６】
2015222255.tif 000009